(57)【要約】【課題】  温度管理の必要な物品について、ＩＣタグを用いた物品管理技術を用いて、低コストで、正確な、物品の温度管理を可能とする。【解決手段】  流通する物品の温度状態を管理する、ＩＣタグリーダ及び物品管理サーバを備える物品管理システムにおいて、物品に付されたＩＣタグ２００が記録する物品２のＩＤ情報を、物品２の流通経路に配置された物品２の温度を測定する温度測定手段１０３を備えるＩＣタグリーダ１０が読取り、このとき測定した物品２の温度を物品管理サーバに送信し、物品管理サーバでは物品２の温度情報と物品２のＩＤとを関連付けて記録する。【選択図】  図１
2007001738.tif 000002
【特許請求の範囲】
【請求項１】
ＩＣタグを付した物品の温度を測定する温度測定手段を備えることを特徴とするＩＣタグリーダ。
【請求項２】
前記温度測定手段は、放射温度計、又は熱画像装置であることを特徴とする請求項１に記載のＩＣタグリーダ。
【請求項３】
物品に付されたＩＣタグに記録された情報を読取るときに、前記温度測定手段は該物品の温度を測定することを特徴とする請求項１又は２に記載のＩＣタグリーダ。
【請求項４】
ＩＣタグを付した物品の温度を測定する温度測定手段を備えることを特徴とするＩＣタグリーダライタ。
【請求項５】
前記温度測定手段は、放射温度計、又は熱画像装置であることを特徴とする請求項４に記載のＩＣタグリーダライタ。
【請求項６】
物品に付されたＩＣタグに記録された情報を読取るときに、前記温度測定手段は該物品の温度を測定することを特徴とする請求項４又は５に記載のＩＣタグリーダライタ。
【請求項７】
前記温度測定手段が測定した物品の温度を、該物品に付されたＩＣタグに書き込むことを特徴とする請求項４〜６に記載のＩＣタグリーダライタ。
【請求項８】
流通する物品の温度状態を管理する、ＩＣタグリーダ及び物品管理サーバを備える物品管理システムであって、
物品に付されたＩＣタグが記録する物品のＩＤ情報を該物品の流通経路に配置された前記請求項１〜３いずれかのＩＣタグリーダが読取り、このとき測定した該物品の温度を物品管理サーバに送信し、
前記物品管理サーバでは前記物品の温度情報と前記物品のＩＤとを関連付けて記録することを特徴とする物品管理システム。
【請求項９】
流通する物品の温度状態を管理する、ＩＣタグリーダライタを備える物品管理システムであって、
物品に付されたＩＣタグが記録する物品のＩＤ情報を該物品の流通経路に配置された前記請求項４〜７いずれかのＩＣタグリーダライタが読取り、このとき測定した該物品の温度を該ＩＣタグに書き込むことを特徴とする物品管理システム。
【請求項１０】
流通する物品の温度状態を管理する、ＩＣタグリーダライタ及び物品管理サーバを備える物品管理システムであって、
物品に付されたＩＣタグが記録する物品のＩＤ情報を該物品の流通経路に配置された前記請求項４〜７いずれかのＩＣタグリーダライタが読取り、このとき測定した該物品の温度を該ＩＣタグに書き込むとともに、測定した該物品の温度を物品管理サーバに送信し、
前記物品管理サーバでは前記物品の温度情報と前記物品のＩＤとを関連付けて記録することを特徴とする物品管理システム。
【発明の詳細な説明】
【技術分野】
【０００１】
本発明は、ＩＣタグを用いた物品管理システム、特に物品の流通における物品管理システムにおいて、温度管理が必要な物品を管理するために用いるＩＣタグを用いた物品管理技術に関するものである。
【背景技術】
【０００２】
流通における物品管理システムのうち、温度情報までを扱うシステムとしては、現行では、温度記録の機能が付加されたデジタルタコグラフがある。これは、物品を輸送する輸送車の車両運行管理システムであり、位置や速度などの運行状況に加えて、輸送荷室内の温度情報を記録できるようにしたものである。
【０００３】
実際の温度調整は、荷室内に備えられた温度計や温度センサによって測定された温度の値によって、空調装置を制御することによって行われ、必ずしもデジタルタコグラフと連動しているわけではないものの、デジタルタコグラフで記録した荷室内の温度が一定範囲内かどうかを、輸送後又は輸送中に確認することで管理者は物品の温度管理を行うことができる。この場合、正確には、荷室内の温度を測定しているのであって、物品そのものの温度を測定していないものの、輸送中については、荷室内環境と物品とはほぼ熱平衡の状態にあって、両者の温度はほとんど変わりないものとみなせる。
【０００４】
しかしながら、産地直送のような場合を除いて、流通過程では、生産者、運送業者、卸売業者、配送業者、及び小売業者を経る中で、積みかえ、一時保管、仕分けなどが生じるため、当然ながら、デジタルタコグラフを用いた温度管理は、当該輸送車での輸送過程のみに閉じたものとなる。
【０００５】
近年、流通における上流から下流までの過程にわたっての物品管理（サプライチェーンマネジメント）を行うためのシステムとして、ＩＣタグを用いた物品管理システムが数々提案・実現されており、このうち温度管理を行うことを可能としたシステムもいくつか提案されている。これらのうち、物品の個品単位の管理まで行うことを目的としたものとしては、大きく分けて次に挙げる３つの方式のシステムがある。
【０００６】
一つは、物品に付けられたパッシブ型ＩＣタグに、別途センサで測定した温度についてのデータを書き込む方式で、センサは物品の外部にある方式である。この一例として、特開２００２−９６９１３号公報「貨物集配管理システム、配送車、電子タグ」がある。この方式では、必ずしもデジタルタコグラフのように輸送時に特化したものではないため、デジタルタコグラフを用いた温度管理よりも様々な流通過程への拡張が可能である。しかし、やはり、荷室内などの物品を取り巻く環境の温度を測定しているのであって、物品の温度を測定しているわけではない。このため、正確な温度管理が行えるのは、配送車中のように両者の温度が同一とみなせる場合に限定されるという問題があった。
【０００７】
次は、センサとパッシブ型ＩＣタグとが一体で物品に付けられており、センサで測定した温度についてのデータをパッシブ型ＩＣタグに書き込む方式である。この方式では、物品の個品単位の温度管理を正確に行うことが可能である。しかし、温度管理をしたい個品ごとにセンサ付きパッシブ型ＩＣタグを取り付ける必要があり、コストが非常に高くなるという問題があった。また、センサを駆動するための電池が一般には必要であり、センサ付きパッシブ型ＩＣタグを再利用して使いまわすには、いずれかのタイミングで電池の交換が必要であるという問題があった。さらに、センサ付きパッシブ型ＩＣタグ自体は一般に１辺数ｃｍの大きさを有することから、付けられる対象となる物品の大きさが限られるという問題があった。
【０００８】
最後は、センサと一体のアクティブ型ＩＣタグが物品に付けられており、センサで測定した温度についてのデータをＩＤ情報とともに発信する方式である。この方式では、センサ付きパッシブ型ＩＣタグに比して、データを読み取る側のシステム構成の自由度が高いという特徴がある。しかし、センサ付きパッシブ型ＩＣタグ方式と同様、物品の個品単位の温度管理を行う場合、個品ごとに高価なセンサ一体型アクティブタグを取り付ける必要がある。このため、コストが高くなるという問題や、使いまわす場合の電池交換の問題、現状、ある程度の大きさがあるため付けられる対象となる物品が限られるという問題があった。
【特許文献１】特開２００２−９６９１３号公報
【発明の開示】
【発明が解決しようとする課題】
【０００９】
温度管理の必要な物品について、ＩＣタグを用いた物品管理技術を用いて、低コストで、正確な、物品の温度管理を可能とする。
【課題を解決するための手段】
【００１０】
そこで上記課題を解決するために、請求項１に記載の発明は、ＩＣタグを付した物品の温度を測定する温度測定手段を備えることを特徴とする。
【００１１】
また、請求項２に記載の発明は、前記温度測定手段は、放射温度計、又は熱画像装置であることを特徴とする。
【００１２】
また、請求項３に記載の発明は、物品に付されたＩＣタグに記録された情報を読取るときに、前記温度測定手段は該物品の温度を測定することを特徴とする。
【００１３】
また、請求項４に記載の発明は、ＩＣタグを付した物品の温度を測定する温度測定手段を備えることを特徴とする。
【００１４】
また、請求項５に記載の発明は、前記温度測定手段は、放射温度計、又は熱画像装置であることを特徴とする。
【００１５】
また、請求項６に記載の発明は、物品に付されたＩＣタグに記録された情報を読取るときに、前記温度測定手段は該物品の温度を測定することを特徴とする。
【００１６】
また、請求項７に記載の発明は、前記温度測定手段が測定した物品の温度を、該物品に付されたＩＣタグに書き込むことを特徴とする。
【００１７】
また、請求項８に記載の発明は、流通する物品の温度状態を管理する、ＩＣタグリーダ及び物品管理サーバを備える物品管理システムであって、物品に付されたＩＣタグが記録する物品のＩＤ情報を該物品の流通経路に配置された前記請求項１〜３いずれかのＩＣタグリーダが読取り、このとき測定した該物品の温度を物品管理サーバに送信し、前記物品管理サーバでは前記物品の温度情報と前記物品のＩＤとを関連付けて記録することを特徴とする。
【００１８】
また、請求項９に記載の発明は、流通する物品の温度状態を管理する、ＩＣタグリーダライタを備える物品管理システムであって、物品に付されたＩＣタグが記録する物品のＩＤ情報を該物品の流通経路に配置された前記請求項４〜７いずれかのＩＣタグリーダライタが読取り、このとき測定した該物品の温度を該ＩＣタグに書き込むことを特徴とする。
【００１９】
また、請求項１０に記載の発明は、流通する物品の温度状態を管理する、ＩＣタグリーダライタ及び物品管理サーバを備える物品管理システムであって、物品に付されたＩＣタグが記録する物品のＩＤ情報を該物品の流通経路に配置された前記請求項４〜７いずれかのＩＣタグリーダライタが読取り、このとき測定した該物品の温度を該ＩＣタグに書き込むとともに、測定した該物品の温度を物品管理サーバに送信し、前記物品管理サーバでは前記物品の温度情報と前記物品のＩＤとを関連付けて記録することを特徴とする。
【００２０】
請求項１〜３に記載の発明では、物品に付されたＩＣタグが記録する情報を読取るとともに、物品の温度を測定することが可能である。
【００２１】
請求項４〜７に記載の発明では、物品に付されたＩＣタグが記録する情報を読取るとともに、物品の温度を測定し、この温度情報をＩＣタグに書き込むことが可能である。
【００２２】
請求項８に記載の発明では、ＩＣタグリーダが物品に付されたＩＣタグが記録する情報を読取ったときの物品の温度情報を物品管理サーバから取得することが可能である。
【００２３】
請求項９に記載の発明では、ＩＣタグリーダライタが物品に付されたＩＣタグが記録する情報を読取ったときの物品の温度情報をＩＣタグから取得することが可能である。
【００２４】
請求項１０に記載の発明では、ＩＣタグリーダライタが物品に付されたＩＣタグが記録する情報を読取ったときの物品の温度情報を物品管理サーバ及びＩＣタグから取得することが可能である。
【発明の効果】
【００２５】
請求項１〜７に記載の発明によれば、物品又はＩＣタグに温度センサを設置することなく物品の温度情報を取得することが可能となる。
【００２６】
さらに、請求項４〜７に記載の発明によれば、ＩＣタグに物品の温度情報を記録させ、このＩＣタグから物品の温度情報を取得することが可能となる。
【００２７】
また、請求項８〜１０に記載の発明によれば、物品の温度情報を管理する物品管理システムにおいて、物品又はＩＣタグに温度センサを設置することなく、低コストで、正確な物品の温度情報取得が可能となる。
【発明を実施するための最良の形態】
【００２８】
以下、実施形態について図面を用いて説明する。
【００２９】
(ＩＣタグリーダ及びＩＣタグリーダライタの構成)
図１は、ＩＣタグを貼付した物品及びＩＣタグリーダを模式的に示した図である。図１では、物品２のＩＤ情報が記録されているＩＣタグ２００が物品２に貼付してある。なお、ＩＣタグは、ＲＦＩＤ、ＲＦタグ、電子タグとも呼ばれる。
【００３０】
図１において、ＩＣタグリーダ本体１０は、読み取り指示ボタン１０６が押下げられると、ＩＣタグリーダ部１０１を介して、対向したＩＣタグ２００に記録された物品２のＩＤ情報を読み取る。読み取りができた場合、読み取りが完了したことを表示部１０５に表示する。読み取ったＩＤ情報は、必要に応じて、ＩＣタグリーダ本体１０から通信により別の機器に送信することも可能である。ここでは通信線１１０により情報を送信する場合を示している。
【００３１】
また、図１では、ＩＣタグリーダ本体１０は、放射温度計を備え、温度測定指示ボタン１０８を押下すると、放射温度計ヘッド部１０３を介して、対向したＩＣタグ２００の近傍の温度を測定することができる。温度を測定できた場合、その温度を表示部１０５に表示する。読み取った温度についての情報は、必要に応じて、ＩＣタグリーダ本体１０から通信により別の機器に送信することも可能である。
【００３２】
なお、ＩＣタグリーダ本体１０は放射温度計を備えることとしたが、放射温度計の代わりに熱画像装置を備えてもよい。熱画像装置を備えた場合には、ＩＣタグ２００の周辺領域の温度分布を測定するため、目的に合わせて、周辺領域の中のある適当な部分の温度を所望の温度情報としてもよいし、周辺領域のうちのある適当な範囲の部分の温度の平均値を所望の温度情報としてもよい。
【００３３】
図２は、情報書き込み可能なＩＣタグを貼付した物品及びＩＣタグリーダライタを模式的に示した図である。図２に示すＩＣタグリーダライタ本体１１は、図１で示したＩＣタグリーダ本体１０の機能に加えて、書き込み指示ボタン１０７を押下すると、ＩＣタグリーダライタ部１０２を介して、対向した情報書き込み可能なＩＣタグ２０１に情報を書き込むことができる。書き込みができた場合、書き込みが完了したことを表示部１０５に表示する。
【００３４】
書き込む情報としては、書き込みを行った日時についての情報、書き込みを行った場所についての情報、書き込みを行った者についての情報、書き込みを行った機器についての情報、ＩＣタグリーダライタ本体１１が備える放射温度計によって測定したＩＣタグ２０１の近傍の温度についての情報などのうちの一部又は全部とすることができる。
【００３５】
情報書き込み可能なＩＣタグのメモリにはＥＥＰＲＯＭやＦｅＲＡＭ（強誘電体メモリ）などの不揮発メモリが用いられる。
【００３６】
以下では、上記ＩＣタグリーダ又は上記ＩＣタグリーダライタを用いて、温度管理の必要な物品に対し、温度管理が可能な物品管理システムを構成又は適用した例について述べる。
【００３７】
(実施形態１)
図３は、実施形態１であるＩＣタグリーダを用いた物品管理システムの構成を示したものである。図３に示すように、実施形態１の物品管理システムは物品２、ＩＣタグリーダ本体１０、ＩＣタグリーダ用コンピュータ３０、ネットワーク４、物品管理サーバ５、及び物品ＩＤ情報管理サーバ６を有している。
【００３８】
物品２にはＩＣタグ２００が付されている。
【００３９】
ＩＣタグリーダ本体１０は、ＩＣタグリーダ部１０１、放射温度ヘッド部１０３、制御部１１１、記憶部１１２、及びインターフェース部１１３を有している。
【００４０】
物品管理サーバ５は物品管理データベース５０１を有している。
【００４１】
物品ＩＤ情報管理サーバ６は物品ＩＤ情報データベース６０１を有している。
【００４２】
実施形態１では、ＩＣタグリーダ本体１０は、ＩＣタグリーダ部１０１を介して、対向したＩＣタグ２００に記録された物品２のＩＤ情報を読み取るとともに、放射温度計ヘッド部１０３を介して、対向したＩＣタグ２００の近傍の温度を測定する。
【００４３】
読み取られたＩＤ情報及び温度情報は、インターフェース部１１３を介して、ＩＣタグリーダ用コンピュータ３０に送られる。物品２のＩＤ情報及び温度情報をＩＣタグリーダ用コンピュータ３０に送るタイミングは、ＩＤ情報及び温度情報を読み取った時点でもよいし、一時的にＩＤ情報及び温度情報を記憶部１１２に記憶しておき、ＩＤ情報及び温度情報を読み取った後の然るべき時点でもよい。
【００４４】
なお、ＩＣタグリーダ用コンピュータ３０の機能は、ＩＣタグリーダ本体１０に組み込まれていても構わない。ＩＣタグリーダ用コンピュータ３０は、ＩＤ情報及び温度情報を、ネットワーク４を介して、物品管理サーバ５に送る。この際、ＩＤ情報及び温度情報に加え、ＩＤ情報及び温度情報を取得した時間や場所や担当者などについての情報などを併せて送ることができる。
【００４５】
なお、詳細は記さないが、ＩＤ情報及び温度情報を取得した時間についての情報は、例えば、ＩＣタグリーダ本体１０及びＩＣタグリーダ用コンピュータ３０に内蔵された時計から得られる。また、ＩＤ情報及び温度情報を取得した場所や担当者などについての情報は、あらかじめ、ＩＣタグリーダ本体１０又はＩＣタグリーダ用コンピュータ３０に入力しておくことによって得られるものとすればよい。
【００４６】
実施形態１では、物品管理サーバ５はネットワーク４を介して、物品ＩＤ情報管理サーバ６に対してＩＤ情報を送付し、ＩＤ情報に対応する物品についての情報の照会をかける。
【００４７】
物品ＩＤ情報管理サーバ６は、送付されたＩＤ情報から、ＩＤ情報と物品情報とが対応付けられたデータを保存する物品ＩＤ情報データベース６０１内を検索し、ＩＤ情報に対応する物品２の物品情報を探し出し、ネットワーク４を介して、物品管理サーバ５に送る。
【００４８】
物品管理サーバ５は、物品２についてのＩＤ情報、物品情報、温度情報、該温度情報を取得した時間や場所や担当者などについての情報をデータセットとして物品管理データベース５０１に保存する。物品２についての１つまたは複数のデータセットは、全体として物品２の物品管理情報として見なすことができ、物品２のＩＤ情報を用いて容易にひとくくりすることができる。必要に応じて、消費者を含む関係者は、物品管理データベース５０１にアクセスして、物品２についての物品管理情報を得ることができる。
【００４９】
(実施形態２)
図４は、実施形態２である、ＩＣタグリーダを用いた物品管理システムを物品の流通過程での物品管理に用いた例を示したものである。図４に示すように実施形態２の物品管理システムでは物品２は、メーカ２０から、輸送車７、卸センタ８、及び配送車１７を介して、小売店Ａ９に届く。
【００５０】
物品２は、メーカ２０において、物品２のＩＤ情報を記録したＩＣタグ２００を貼付される。メーカ２０内には、物品ＩＤ情報管理サーバ６が置かれている。物品ＩＤ情報管理サーバ６は物品のＩＤ情報と物品情報とを対応付ける物品ＩＤ情報データベース６０１を有しており、ネットワーク４につながっている。メーカ２０において、物品２にＩＣタグ２００を貼付される時点と相前後して、物品ＩＤ情報データベース６０１に、物品２のＩＤ情報と物品情報とを対応付けるデータを格納する。
【００５１】
物品２は、メーカ２０において、同種の物品とともに輸送用のケース等に詰められた後に、物品２にとって適切な温度範囲に温度を保つことが可能な荷室７０を有する輸送車７に積載され、輸送車７によって卸センタ８に運ばれる。この輸送車７の荷室７０には温度計７０１が設置されており、輸送状態記録装置７０２に温度状態が記録される。
【００５２】
卸センタ８では、入庫確認の後、物品２は同種の物品とともに輸送用のケースから出され、１個単位又は少数単位に小分けされた状態で収められる。その後、物品２が小売店Ａ９に行くべき物品と同種の物品であることを確認の上でピッキングされる。
【００５３】
実施形態２では、ＩＣタグリーダ８１０を用いて、物品２に貼付されたＩＣタグ２００に記録された物品２のＩＤ情報を読み取ることにより、物品２が小売店Ａ９に行くべき物品と同種の物品であることを確認する。これと同時に、ピッキングしたことを確認することとし、ＩＤ情報読み取りの際に、ＩＣタグ２００の近傍の物品２の温度を測定し、読み取ったＩＤ情報及び測定した温度についての情報をＩＣタグリーダ用コンピュータ８３０に送る。
【００５４】
ＩＣタグリーダ用コンピュータ８３０は、即座に、又は、適当な時点に、ＩＤ情報及び温度情報を、ネットワーク４を介して、物品管理サーバ５に送る。この際、ＩＤ情報及び温度情報に加え、ＩＤ情報及び温度情報を取得した時間や場所や担当者などについての情報を併せて送る。
【００５５】
より細かい時間間隔での温度管理が必要な物品の場合は、ピッキング時だけではなく、必要なタイミングや必要な頻度に基づいて、上記と同様の操作により、ＩＤ情報、温度情報を取得し、物品管理サーバ５に送る。
【００５６】
ピッキングされた物品２は、物品２にとって適切な温度範囲に温度を保つことが可能な荷室７１を有する配送車１７に積み込まれ、配送車１７によって小売店Ａ９に運ばれる。この輸送車１７の荷室７１には温度計７１１が設置されており、輸送状態記録装置７１２に温度状態が記録される。
【００５７】
小売店Ａ９では、発注した物品が確かに入荷したか、異常はないかといった、入荷確認及び検品を行う。
【００５８】
実施形態２では、ＩＣタグリーダ９１０を用いて、物品２に貼付されたＩＣタグ２００に記録された物品２のＩＤ情報を読み取ることにより、物品２が小売店Ａ９に入荷すべき物品と同種の物品であることを確認する。そしてＩＤ情報読み取りの際に、ＩＣタグ２００の近傍の物品２の温度を測定し、読み取ったＩＤ情報及び測定した温度についての情報をＩＣタグリーダ用コンピュータ９３０に送る。
【００５９】
ＩＣタグリーダ用コンピュータ９３０は、即座に、又は、適当な時点に、ＩＤ情報及び温度情報を、ネットワーク４を介して、物品管理サーバ５に送る。この際、ＩＤ情報及び温度情報に加え、ＩＤ情報及び温度情報を取得した時間や場所や担当者などについての情報を併せて送る。
【００６０】
より細かい時間間隔での温度管理が必要な物品の場合は、入荷確認及び検品時だけではなく、必要なタイミングや必要な頻度に基づいて、上記と同様の操作により、ＩＤ情報、温度情報を取得し、物品管理サーバ５に送る。
【００６１】
物品管理サーバ５は、流通過程において送られたすべての物品２についてのＩＤ情報、温度情報、温度情報を取得した時間や場所や担当者などについての情報を、物品２の物品管理情報として、物品管理データベース５０１に保存する。
【００６２】
必要に応じて、関係者１０は、流通のある時点において、物品管理データベース５０１にアクセスして、その時点における物品２のＩＤ情報を入力して、物品２についての物品管理情報を得ることができる。したがって、物品２の流通過程での温度管理をはじめとする物品管理が可能である。
【００６３】
さらに、物品管理サーバ５は、ネットワーク４を介して、物品ＩＤ情報管理サーバ６に対して、物品２のＩＤ情報を送付し、ＩＤ情報に対応する物品情報の照会をかける。
【００６４】
物品ＩＤ情報管理サーバ６は、送付されたＩＤ情報をもとに物品ＩＤ情報データベース６０１内を検索し、ＩＤ情報に対応する物品２の物品情報を探し出し、ネットワーク４を介して、物品管理サーバ５に送る。
【００６５】
物品管理サーバ５は、送られた物品２の物品情報を物品管理データベース５０１に保存する。そうすると必要に応じて、関係者は、物品管理データベース５０１にアクセスして、物品２のＩＤ情報を入力することにより、物品２についての物品管理情報に加えて、物品２の物品情報をも得ることができる。
【００６６】
実施形態２では、関係者１００は手元に物品２を有しており、ＩＣタグリーダ１０１０によって物品２に貼付されているＩＣタグ２００に記録されている物品２のＩＤ情報を読み取ることによって、物品２のＩＤ情報を入力している。
【００６７】
例えば、関係者１００とは小売店Ａ９に来店した消費者であってもよく、ＩＣタグリーダ１０１０及びＩＣタグリーダ用コンピュータ１０３０は小売店Ａ９のＩＣタグリーダ９１０及びＩＣタグリーダ用コンピュータ９３０と同一であって、消費者１００は小売店Ａ９のＩＣタグリーダ９１０を操作して、物品２に貼付されているＩＣタグ２００に記録されている物品２のＩＤ情報を読み取ることによって、物品２の物品管理情報及び物品情報を得ることも可能である。
【００６８】
(実施形態３)
図５は、実施形態３である、ＩＣタグリーダライタを用いた物品管理システムの構成を示したものである。図５に示すように、実施形態３の物品管理システムは物品２、ＩＣタグリーダライタ本体１１、ＩＣタグリーダライタ用コンピュータ３１、ネットワーク４、及び物品ＩＤ情報管理サーバ６を有している。
【００６９】
物品２には情報書き込み可能なＩＣタグ２０１が付されている。
【００７０】
ＩＣタグリーダ本体１０は、ＩＣタグリーダ部１０１、放射温度ヘッド部１０３、制御部１１１、記憶部１１２、及びインターフェース部１１３を有している。
【００７１】
物品ＩＤ情報管理サーバ６は物品ＩＤ情報データベース６０１を有している。
【００７２】
実施形態３では、ＩＣタグリーダライタ本体１１は、ＩＣタグリーダライタ部１０２を介して、対向した情報書き込み可能なＩＣタグ２０１に記録された物品２のＩＤ情報を読み取るとともに、放射温度計ヘッド部１０３を介して、ＩＣタグ２０１の近傍の温度を測定する。
【００７３】
読み取られたＩＤ情報及び温度情報は、インターフェース部１１３を介して、ＩＣタグリーダライタ用コンピュータ３１に送られる。なお、ＩＣタグリーダライタ用コンピュータ３１の機能は、ＩＣタグリーダライタ本体１１に組み込まれていても構わない。
【００７４】
ＩＣタグリーダライタ本体１１は、温度情報を、ＩＣタグリーダライタ部１０２を介して、ＩＣタグ２０１に書き込む。この際、温度情報に加え、温度情報を取得した時間や場所や担当者などについての情報の全部又は一部を同時に書き込んでもよい。
【００７５】
なお、詳細は記さないが、温度情報を取得した時間についての情報は、例えば、ＩＣタグリーダライタ本体１１及びＩＣタグリーダライタ用コンピュータ３１に内蔵された時計から得られ、温度情報を取得した場所や担当者などについての情報は、あらかじめ、ＩＣタグリーダライタ本体１１又はＩＣタグリーダライタ用コンピュータ３１に入力しておくことによって得られるものとすればよい。
【００７６】
実施形態３では、ＩＣタグリーダライタ用コンピュータ３１は必ずしもネットワークにつながっていなくともよいが、ＩＣタグリーダライタ用コンピュータ３１をネットワーク４につないで、ネットワーク４を介して、物品ＩＤ情報管理サーバ６にＩＤ情報を送付し、物品ＩＤ情報管理サーバ６からＩＤ情報に対応する物品２の物品情報を得ることも可能である。
【００７７】
(実施形態４)
図６は、実施形態４である、ＩＣタグリーダライタを用いた物品管理システムを物品の流通過程での物品管理に用いた例を示したものである。図６に示すように実施形態４の物品管理システムでは物品２は、メーカ２０から、輸送車７、卸センタ８、及び配送車１７を介して、小売店Ａ９に届く。
【００７８】
実施形態４では、物品２は、メーカ２０において、同種の物品とともに輸送用のケース等に詰められた後に、物品２にとって適切な温度範囲に温度を保つことが可能な荷室７０を有する輸送車７に積載され、輸送車７によって卸センタ８に運ばれる。この輸送車７の荷室７０には温度計７０１が設置されており、輸送状態記録装置７０２に温度状態が記録される。
【００７９】
卸センタ８では、入庫確認の後、物品２は同種の物品とともに輸送用のケースから出され、１個単位又は少数単位に小分けされた状態で収められる。その後、物品２が小売店Ａ９に行くべき物品と同種の物品であることを確認の上でピッキングされる。
【００８０】
実施形態４では、ＩＣタグリーダライタ８１１のリーダ機能を用いて、物品２に貼付されたＩＣタグ２０１に記録された物品２のＩＤ情報を読み取ることにより、物品２が小売店Ａ９に行くべき物品と同種の物品であることを確認する。これと同時に、ピッキングしたことを確認することとし、ＩＤ情報読み取りの際に、ＩＣタグ２０１の近傍の物品２の温度を放射温度計機能により測定し、測定した温度情報をＩＣタグリーダライタ８１１のライタ機能を用いてＩＣタグ２０１に書き込む。
【００８１】
この際、温度情報に加え、温度情報を取得した時間や場所や担当者などについての情報を同時に書き込む。より細かい時間間隔での温度管理が必要な物品の場合は、ピッキング時だけではなく、必要なタイミングや必要な頻度に基づいて、上記と同様の操作により、温度情報を取得し、少なくとも温度情報を取得した時間情報とともに、温度情報をＩＣタグ２０１に書き込む。
【００８２】
ピッキングされた物品２は、物品２にとって適切な温度範囲に温度を保つことが可能な荷室７１を有する配送車１７に積み込まれ、配送車１７によって小売店Ａ９に運ばれる。この輸送車１７の荷室７１には温度計７１１が設置されており、輸送状態記録装置７１２に温度状態が記録される。
【００８３】
実施形態４では、ＩＣタグリーダライタ９１１を用いて、物品２に貼付されたＩＣタグ２０１に記録された物品２のＩＤ情報を読み取ることにより、物品２が小売店Ａ９に入荷すべき物品と同種の物品であることを確認することとする。
【００８４】
ＩＤ情報読み取りの際に、物品２の温度を測定し、温度情報とともに、温度情報を取得した時間や場所や担当者などについての情報を同時にＩＣタグ２０１に書き込む。より細かい時間間隔での温度管理が必要な物品の場合は、入荷確認および検品時だけではなく、必要なタイミングや必要な頻度に基づいて、上記と同様の操作により、温度情報を取得し、少なくとも温度情報を取得した時間情報とともに、温度情報をＩＣタグ２０１に書き込む。
【００８５】
このようにして、各流通過程で得られた温度情報、温度情報を取得した時間や場所や担当者などについての情報は、物品２に貼付された情報書き込み可能なＩＣタグ２０１のメモリに蓄積されていき、一連としてみれば、物品２についての流通過程での温度履歴をはじめとする履歴を示す物品管理情報として利用することができる。
【００８６】
さらに、実施形態４における物品管理システムにおいて、輸送時及び配送時の温度情報についても併せて管理する場合については、以下に述べるような構成とすればよい。
【００８７】
温度管理が必要な物品を扱う輸送車７の荷室７０及び配送車１７の荷室７１は、ともに、適切な範囲に温度を保つよう設計されている。そして輸送車７の荷室７０内の温度計７０１及び配送車１７の荷室７１内の温度計７１１によってそれぞれの荷室内の温度を計測する。計測されたそれぞれの荷室内の温度情報は、それぞれが計測された時間についての情報とともに、輸送中及び配送中の温度履歴情報として、それぞれ、輸送状態記録装置７０２及び配送状態記録装置７１２に記録される。
【００８８】
物品２を含む物品が、輸送車７によって、卸センタ８に入庫された時点で、輸送車７による輸送中の温度履歴情報を、輸送状態記録装置７０２から卸センタのＩＣタグリーダライタ用コンピュータ８３１に転送する。そして物品２の入庫確認をする際に、ＩＣタグリーダライタ用コンピュータ８３１からＩＣタグリーダライタ８１１を介して、物品２のＩＣタグ２０１に温度履歴情報の全部又は主要な一部を書き込む。
【００８９】
ここでいう温度履歴情報の主要な一部とは、例えば、輸送時刻、輸送時間、温度の最高値及び最低値といった代表値についての情報である。配送状態記録装置７１２に記録された輸送中の温度履歴情報についても同様の方法で、物品２のＩＣタグ２０１に上記温度履歴情報の全部あるいは主要な一部を書き込むことが可能である。
【００９０】
このように、実施形態４における物品管理システムは、デジタルタコグラフ等を用いた従来の車両運行管理システムによる輸送中又は配送中の温度履歴情報管理機能と連携すること、又は、この機能を組み入れることが可能である。
【００９１】
以上により、関係者１０は、必要に応じて、流通のある時点において、物品２のＩＣタグ２０１のメモリに書き込まれた情報を読み取ることによって、物品２についての流通過程での温度履歴をはじめとする履歴を示す物品管理情報を取得することができる。したがって、物品２の流通過程での温度管理をはじめとする物品管理を行うことが可能である。
【００９２】
実施形態４では、関係者１０は手元に物品２を有しており、ＩＣタグリーダ１０１０によって物品２に貼付されているＩＣタグ２０１に記録されている物品管理情報を取得している。ネットワーク４を介して、物品ＩＤ情報管理サーバ６に物品２のＩＤ情報を送付し、物品ＩＤ情報管理サーバ６からＩＤ情報に対応する物品２の物品情報を得ることも可能である。
【００９３】
なお、実施形態４の物品管理システムでは、物品管理サーバをおく必要はないが、実施形態４と実施形態２で示した２つの種類の物品管理システムは、複合化することも可能である。
【００９４】
すなわち、実施形態４で示した物品管理システムにおいて、実施形態２における物品管理サーバ５に相当する物品管理サーバを設置して、卸センタ８や小売店９とともにネットワーク４につなげる構成とする。そして、例えば、ＩＣタグ２０１に記録されている物品２の物品管理情報がメモリの容量の関係で一部の情報にとどまる場合に、物品管理サーバ５の物品管理データベース５０１に保存された物品管理情報で補完する方式としてもよい。又は、まったく同じ物品２についての物品管理情報を、ＩＣタグ２０１と物品管理データベース５０１に二重化して保存する方式としてもよい。
【図面の簡単な説明】
【００９５】
【図１】ＩＣタグリーダの構成図。
【図２】ＩＣタグリーダライタの構成図。
【図３】ＩＣタグリーダを用いる実施形態１のシステムの構成図。
【図４】ＩＣタグリーダを流通過程での物品管理に用いた実施形態２のシステム構成図。
【図５】ＩＣタグリーダライタを用いる実施形態１のシステムの構成図。
【図６】ＩＣタグリーダライタを流通過程での物品管理に用いた実施形態２のシステム構成図。
【符号の説明】
【００９６】
１０  ＩＣタグリーダ本体
１１  ＩＣタグリーダライタ本体
１０１  ＩＣタグリーダ部
１０２  ＩＣタグリーダライタ部
１０３  放射温度計ヘッド部
１０５  表示部
１０６  読み取り指示ボタン
１０７  書き込み指示ボタン
１０８  温度測定指示ボタン
１１０  通信線
１１１  制御部
１１２  記憶部
１１３  インターフェース部
２  物品
２０  メーカ
２００  ＩＣタグ
２０１  情報書き込み可能なＩＣタグ
３０  ＩＣタグリーダ用コンピュータ
３１  ＩＣタグリーダライタ用コンピュータ
４  ネットワーク
５  物品管理サーバ
５０１  物品管理データベース
６  物品ＩＤ情報管理サーバ
６０１  物品ＩＤ情報データベース
７  輸送車
１７  配送者
７０  輸送車の荷室
７０１  輸送車の荷室内の温度計
７０２  輸送状態記録装置
７１  配送車の荷室
７１１  配送車の荷室内の温度計
７１２  配送状態記録装置
８１０  卸センタのＩＣタグリーダ
８１１  卸センタのＩＣタグリーダライタ
８３０  卸センタのＩＣタグリーダ用コンピュータ
８３１  卸センタのＩＣタグリーダライタ用コンピュータ
９  小売店
９１０  小売店ＡのＩＣタグリーダ
９１１  小売店ＡのＩＣタグリーダライタ
９３０  小売店ＡのＩＣタグリーダ用コンピュータ
９３１  小売店ＡのＩＣタグリーダライタ用コンピュータ
１００  関係者
１０１０  ＩＣタグリーダ
１０３０  ＩＣタグリーダ用コンピュータ
【図１】
2007001738.tif 000003
【図２】
2007001738.tif 000004
【図３】
2007001738.tif 000005
【図５】
2007001738.tif 000006
【図４】
2007001738.tif 000007
【図６】
2007001738.tif 000008